(57)【特許請求の範囲】
【請求項１】
インターネット上の複数サイトのＵＲＬを記憶可能なブックマーク機能を備えた携帯電話機において、
ブックマークに登録されているＵＲＬを表示するブックマーク表示手段を備え、
前記ブックマーク表示手段は、
ブックマークに登録されているＵＲＬから任意のＵＲＬを選択するための設定画面を表示し、ユーザによって選択されたＵＲＬを特定のＵＲＬとして保持し、
特定キーが操作されたときに、前記特定のＵＲＬとして保持されているＵＲＬがあるときには、そのＵＲＬのみをブックマークから抽出して表示し、前記特定のＵＲＬとして保持されているＵＲＬがないときには、最近ブックマークに登録された数件のＵＲＬを表示し、
前記特定キーが操作されたときに、ブックマークに少なくとも１つ以上のＵＲＬが登録されていないときには、所定のメッセージを表示する
ことを特徴とする携帯電話機。
【請求項２】
ブックマーク表示手段は、設定画面に、何れのＵＲＬが選択されたのかを示す選択表示を行い、ユーザによって選択決定されたときに選択表示されていたＵＲＬを特定のＵＲＬとして保持する
請求項１記載の携帯電話機。
【発明の詳細な説明】
【０００１】
【発明の属する技術分野】
本発明は、インターネット上の複数のサイトのＵＲＬを記憶可能なブックマーク機能を備えた携帯電話機に関し、特に、簡単な操作によってブックマークに登録されているＵＲＬから特定のＵＲＬのみを抽出して表示させることができる携帯電話機に関する。
【０００２】
【従来の技術】
近年、携帯電話機の機能は多機能化しつつあり、インターネットに接続できる機能を備えた携帯電話機が広く普及しつつある。ユーザは、そのような携帯電話機を使用することによって、インターネット上の種々のサイトにアクセスすることができ、サイトから文字情報、画像情報等のコンテンツの提供を受けることができる。
【０００３】
ユーザは、サイトへのアクセスに先立って、サイトのＵＲＬ（サイト名）を指定する。例えば、携帯電話機における表示部にアクセス可能なサイトの一覧がメニューとして表示される場合には、キー操作によって、メニューに表示されている複数のサイト名から目的のサイト名を絞り込む。例えば、ＮＴＴドコモ株式会社が提供するｉモードに対応した携帯電話機では、メニューリストから目的のサイト名を絞り込む。
【０００４】
しかしながら、アクセス頻度が高いサイトやお気に入りのサイト等にアクセスする場合であっても、その都度、上記に示したような方法でサイト名を絞り込まなければならないとしたら、ユーザにとって非常に煩わしいものである。そこで、携帯電話機には、そのような煩わしさを解消するために、複数のサイト名を記憶することができるブックマーク機能が備えられていることが多い。
【０００５】
ユーザは、アクセス頻度が高いサイト名やお気に入りのサイト名等をブックマークに登録することができる。ブックマークに登録されたサイト名はブックマーク表示画面に表示され、ユーザは、その中から所望のサイト名を即座に絞り込むことができる。
【０００６】
【発明が解決しようとする課題】
しかし、上記に示したような携帯電話機では、ブックマーク表示画面にはサイト名が一覧またはフォルダ別で表示されるのが一般的であるため、多数のサイト名がブックマークに登録されている場合には、当然に、ブックマーク表示画面には多数のサイト名が表示される。このような場合、ユーザは、表示されている多数のサイト名の中から目的のサイト名を検索する必要があるため、画面のスクロール操作等のために複数回のキー操作を要求されることがあり、煩わしさを感じることがある。
【０００７】
そこで、本発明は、簡単な操作によってブックマークに登録されているサイト名から特定のサイト名のみを抽出して表示させることができる携帯電話機を提供することを目的とする。
【０００８】
【課題を解決するための手段】
本発明による携帯電話機は、インターネット上の複数サイトのＵＲＬを記憶可能なブックマーク機能を備えた携帯電話機において、特定キーが操作されたことに応じて、ブックマークに登録されているＵＲＬから特定のＵＲＬのみを抽出して表示するブックマーク表示手段を備えたことを特徴とする。
【０００９】
ブックマーク表示手段は、ブックマークに登録されているＵＲＬから任意のＵＲＬを選択するための設定画面を表示し、選択された結果を保持する構成としてもよい。このような構成にすれば、ユーザは、ブックマークに登録されているＵＲＬから任意のＵＲＬを選択することができる。例えば、特にアクセス頻度が高いサイトのＵＲＬや特にお気に入りのサイトのＵＲＬ等を選択することができる。
【００１０】
ブックマーク表示手段は、何れのＵＲＬが選択されたのかを示す選択表示を行う構成としてもよい。このような構成にすれば、ユーザは、どのＵＲＬを選択したのかを容易に認識することができる。
【００１１】
ブックマーク表示手段は、ブックマークに登録されているＵＲＬから選択結果に応じたＵＲＬのみを抽出して表示する構成としてもよい。このような構成にすれば、ユーザは、特定キーを押すことで予め選択したＵＲＬのみを表示させることができる。
【００１２】
ブックマーク表示手段は、ブックマークに登録されているＵＲＬから任意のＵＲＬが予め選択されていないときには、最近ブックマークに登録された数件のＵＲＬを表示する構成としてもよい。ブックマークに最近登録されたＵＲＬにはアクセス頻度が高いＵＲＬ等が含まれる場合が多く、そのような場合には、ユーザは、目的のＵＲＬを容易に絞り込むことができる。
【００１３】
ブックマーク表示手段は、ブックマークに少なくとも１つ以上のＵＲＬが登録されていないときには、所定のメッセージを表示する構成としてもよい。このような構成にすれば、ユーザは、ブックマークにＵＲＬが登録されていないことを認識することができる。
【００１４】
本発明による携帯電話機は、インターネット上の複数サイトのＵＲＬおよび画像を記憶可能なブックマーク機能を備えた携帯電話機において、特定キーが操作されたことに応じて、内部に記憶されている画像から特定の画像のみを抽出して表示するブックマーク表示手段を備えたことを特徴とする。
【００１５】
【発明の実施の形態】
以下、本発明の実施の形態を図面を参照して説明する。
本発明による携帯電話機は、インターネットとの接続機能を有し、さらに、インターネット上のサイトのＵＲＬ（サイト名）を複数記憶可能なブックマーク機能を有する。以下、本発明の携帯電話機の構成について図１を参照して説明する。図１は、本発明の携帯電話機の構成を示すブロック図である。以下、本発明による携帯電話機を、単に、携帯電話機と呼ぶこともある。
【００１６】
図１に示す構成では、制御部１００には、キーインタフェース部（キーＩ／Ｆ部）１１０、記憶部１２０および表示部１３０が接続されている。制御部１００は、キーＩ／Ｆ部１１０から必要な情報を入力し、表示部１３０に対して必要な情報を出力する。また、記憶部１２０に必要な情報を書込み、記憶部１２０から必要な情報を読み出す。
【００１７】
制御部１００は、ＣＰＵ等によって構成され、携帯電話機における主機能を司る。キーＩ／Ｆ部１１０は、例えば、ダイヤル部とキー検出部とが一体化したもので、キー操作情報を制御部１００に対して出力する。記憶部１２０は、ＲＡＭ等の記憶媒体で構成され、ブックマークに登録されたサイト名等を記憶する。表示部１３０は、液晶パネル等で構成され、制御部１００からの指示に従って、電話番号やサイト名等の文字情報や待受画面等を表示する。制御部１００、記憶部１２０および表示部１３０は、ブックマーク表示手段に対応する。
【００１８】
次に、動作について説明する。
図２は、所定情報を記憶部１２０内に記憶させる動作を説明するためのフローチャートである。ユーザは、任意のサイト名をブックマークに登録する（ステップＳ２１０）。携帯電話機が表示部１３０にアクセス可能なサイトの一覧をメニューとして表示させることができる場合には、一覧表示されているサイト名の中から任意のサイト名をキー操作によって指定した後にブックマークに登録する。例えば、ＮＴＴドコモ株式会社が提供するｉモードに対応した携帯電話機では、メニューリストに表示されている複数のサイト名の中からブックマークに登録するサイト名を指定する。また、登録するサイト名を文字入力をすることによって指定してもよい。制御部１００は、ブックマークに登録されたサイト名を記憶部１２０の内部に記憶する。
【００１９】
次に、ユーザは、キー操作によって（例えば、ブックマーク表示キーが備えられている場合には、そのキーを押す。）、ブックマークに登録されているサイト名の一覧を表示部１３０に表示させる。制御部１００は、記憶部１２０から、ブックマークに登録されたサイト名を読み出して、表示部１３０にブックマーク表示画面として一覧表示される。このとき、表示部１３０には、例えば、図３に示すようなブックマーク表示画面が表示される。
【００２０】
ブックマーク表示画面では、各サイト名に対応して、選択欄が設けられている。選択欄に印がされている場合は、その選択欄に対応するサイト名が選択されていることを示す。逆に、選択欄に印がされていない場合は、その選択欄に対応するサイト名が選択されていないことを示す。ユーザは、キー操作によって、特定のサイト名を選択する。また、既に選択されているサイト名の選択を取り消すには、選択欄に表示がなされているサイト名をキー操作によって選択して取り消す。例えば、あるＡサイトを選択する場合には、キーＩ／Ｆ部１１０における▽キーや△キー等を操作してＡサイトを指定して、決定ボタンを押す。また、既に選択されているＡサイトの選択を取り消す場合には、同様の手順によって、Ａサイトを指定して、決定ボタンを押すことによって取り消す。
【００２１】
なお、図３には各サイト名に対応して選択欄が設けられている例について示されているが、選択されたサイト名については濃字表示とし、選択されていないサイト名については淡字表示としてもよい。
【００２２】
ユーザは、ブックマーク表示画面に一覧表示されているサイト名から、上記に示したような手順で、特定のサイト名を選択する（ステップＳ２２０）。例えば、ブックマークに登録されているサイト名のうち、特にアクセス頻度の高いサイト名や特にお気に入りのサイト名等を選択する。各サイト名には対応した番号が予め付され、制御部１００は、選択されたサイト名の番号をフィルタ情報として記憶部１２０の内部に記憶する。
【００２３】
以上のようにして、ユーザは、任意のサイト名をブックマークに登録することができるとともにブックマークに登録されているサイト名から特定のサイト名を選択することができる。
【００２４】
図４は、制御部１００の動作を説明するためのフローチャートである。制御部１００は、キーＩ／Ｆ部１１０における特定キーの押下検出を行う（ステップＳ４１０）。例えば、キーＩ／Ｆ部１１０において、特定キーとしてＡキーが割り当てられている場合には、Ａキーが長押しされたか否かを判断する。制御部１００は、特定キーの押下検出を繰り返し行う。
【００２５】
特定キーが押された場合には、制御部１００は、ブックマークに少なくとも１つ以上のサイト名が登録されているか否かを判断する（ステップＳ４２０）。例えば、記憶部１２０からサイト名を読み出すことで判断する。そして、ブックマークに少なくとも１つ以上のサイト名が登録されていない場合には、制御部１００は、ブックマークに登録されていない旨のメッセージを表示部１３０に表示する（ステップＳ４２１）。
【００２６】
ブックマークに少なくとも１つ以上のサイト名が登録されている場合には、制御部１００は、ブックマークに登録されているサイト名から予め特定のサイト名が選択されているか否かを判断する（ステップＳ４３０）。即ち、ステップＳ２２０で少なくとも１つ以上のサイト名の選択がなされたか否かを判断する。制御部１００は、記憶部１２０からフィルタ情報を読み出すことで、特定のサイトの選択の有無を判断する。
【００２７】
特定のサイト名が選択されていない場合には、制御部１００は、ブックマークに登録されているサイト名のうち、最近登録された数件（例えば、５件）のサイト名を記憶部１２０から読み出して表示部１３０に表示する（ステップＳ４３１）。例えば、各サイト名に対応するタイムスタンプを参照して記憶部１２０から最近登録されたサイト名を読み出す。
【００２８】
特定のサイト名が選択されている場合には、制御部１００は、ブックマークに登録されているサイト名から特定のサイト名のみを抽出して表示部１３０に表示する。このとき、制御部１００は、記憶部１２０からブックマークに登録されているサイト名とともにフィルタ情報を読み出して（ステップＳ４４０）、読み出したサイト名とフィルタ情報とを比較して、予めユーザによって選択されたサイト名のみを表示部１３０に表示する（ステップＳ４５０）。また、フィルタ情報を先に読み出して、そのフィルタ情報に従って、予めユーザによって選択されたサイト名を順次記憶部１２０から読み出してもよい。
【００２９】
表示部１３０には、図５に示すように、ユーザによって予め選択されたサイト名のみが表示され、表示されているサイト名の中から目的のサイト名を容易に絞り込むことができる。即ち、ユーザは、予め選択したサイト名からは、目的のサイト名を容易に絞り込むことができる。
【００３０】
以上のように、本実施の形態によれば、制御部１００は、特定キーが押し下げられた場合に、フィルタ情報に基づいて、ブックマークに登録されているサイト名からユーザによって予め選択されたサイト名のみを抽出して表示する。従って、ユーザは、特定キーを押すのみで、予め選択したサイト名のみを表示させることができ、選択したサイト名からは目的のサイト名を容易に絞り込むことができる。
【００３１】
また、制御部１００は、ブックマークに予めユーザによって選択されたサイト名が含まれていないときには、最近登録された数件のサイト名を表示する。最近登録されたサイト名にはアクセス頻度が高いサイト名等が含まれている場合が多く、そのような場合には、ユーザは、目的のサイト名を容易に絞り込むことができる。
【００３２】
なお、上記の実施の形態では、表示部１３０にサイト名が表示される場合を例にしたが、携帯電話機に複数の画像が蓄積可能な場合には、サイト名に代えて、蓄積画像の一覧表示をしてもよい。このような構成にすれば、ユーザは、予めお気に入りの画像等を選択し、特定キーを押すのみで、予め選択した画像を表示させることができる。画像の選択および一覧表示は、先の実施の形態と同様な手順でなされる。また、画像には、アイコン、待受画像、ウェイクアップ画像等がある。待受画像等は、サイズが大きいため、各画像をサムネイル形式等で縮小することによって、複数枚の画像を一覧表示させることができる。
【００３３】
また、上記に示した実施の形態では、選択されたサイト名に対応する番号をフィルタ情報として記憶する例について示したが、選択されたサイト名自体をフィルタ情報として記憶してもよい。この場合、制御部１００は、フィルタ情報を直接読み出すことで選択結果に応じたサイト名を表示部１３０に表示することができる。
【００３４】
さらに、上記に示した実施の形態では、ステップＳ４３０で特定のサイト名が予め選択されていないと判断された場合に、最近ブックマークに登録された数件のサイト名を表示する例について示したが、ブックマークに登録されているサイト名のうちアクセス頻度が高いサイト名を数件表示してもよい。制御部１００は、各サイトに対するアクセス状況をデータとして管理し、そのデータを参照することでアクセス頻度の高いサイト名を特定することができる。
【００３５】
【発明の効果】
本発明によれば、携帯電話機に、特定キーの操作検出により、ブックマークに登録されているＵＲＬのうち特定のＵＲＬを抽出して表示するブックマーク表示手段を備えたので、ユーザは、特定キーを操作するのみで特定のＵＲＬのみを表示させることができる。従って、特定のＵＲＬをユーザが予め選択したＵＲＬとすることで、ユーザは、特定キーを操作することによって、自己が予め選択したＵＲＬのみを表示させることができる。
【図面の簡単な説明】
【図１】  本発明の携帯電話機の構成を示すブロック図である。
【図２】  所定情報を記憶部１２０内に記憶させる動作を説明するためのフローチャートである。
【図３】  ブックマーク表示画面の一例を示す説明図である。
【図４】  制御部１００の動作を説明するためのフローチャートである。
【図５】  予め選択されたサイト名が表示される画面の一例を示す説明図である。
【符号の説明】
１００  制御部
１１０  キーＩ／Ｆ部
１２０  記憶部
１３０  表示部
【図１】
0003652981.tif 000002
【図２】
0003652981.tif 000003
【図３】
0003652981.tif 000004
【図４】
0003652981.tif 000005
【図５】
0003652981.tif 000006